(57)【特許請求の範囲】
【請求項１】
インク滴を吐出して、被記録媒体に画像を記録するインクジェット記録装置であって、
複数の貫通孔を有し、前記被記録媒体を所定の搬送方向に案内するガイド部材と、
前記被記録媒体を前記搬送方向に搬送する搬送部と、
前記搬送部によって搬送されている前記被記録媒体に向けて前記インク滴を吐出する記録ヘッドと、
前記搬送方向に対して前記記録ヘッドよりも上流に配置され、前記ガイド部材との間に異物回収空間を形成する空間形成部材と、
前記複数の貫通孔に吸引力を発生させる吸引部と
を備え、
前記複数の貫通孔は、前記搬送方向における前記空間形成部材の上流側の端及び下流側の端のそれぞれの下方付近にそれぞれ位置する第１貫通孔及び第２貫通孔を含み、
前記吸引部は、前記空間形成部材の上流側の端及び下流側の端のそれぞれの下方付近に、前記第１貫通孔及び前記第２貫通孔を介して吸引力を発生させ、
前記空間形成部材の前記上流側の端及び前記下流側の端のそれぞれの下方付近に発生する吸引力は、前記下流側の端の下方付近に発生する吸引力が、前記上流側の端の下方付近に発生する吸引力よりも大きい、インクジェット記録装置。
【請求項２】
前記空間形成部材の前記上流側の端及び前記下流側の端のそれぞれの下方付近に、前記搬送方向に直交する方向に沿って、複数の前記第１貫通孔及び複数の前記第２貫通孔がそれぞれ配置されている、請求項１に記載のインクジェット記録装置。
【請求項３】
前記複数の貫通孔は、前記空間形成部材における前記上流側の端及び前記下流側の端の各々よりも内側の下方に位置する第３貫通孔を更に含み、
前記吸引部は、前記第３貫通孔を介して、前記空間形成部材の前記内側の下方に吸引力を発生させる、請求項１又は請求項２に記載のインクジェット記録装置。
【請求項４】
前記ガイド部材は、複数の前記第３貫通孔を有する、請求項３に記載のインクジェット記録装置。
【請求項５】
前記第１貫通孔及び前記第２貫通孔が、前記空間形成部材の下方に配置されている、請求項１〜請求項４のいずれか１項に記載のインクジェット記録装置。
【請求項６】
前記搬送部は、前記被記録媒体を搬送する無端ベルトを含み、
前記無端ベルトは、複数の吸引孔を有し、
前記ガイド部材は、前記無端ベルトを介して前記被記録媒体を支持し、
前記吸引部は、前記複数の貫通孔を介して、前記複数の貫通孔に連通する前記吸引孔に吸引力を発生させる、請求項１〜請求項５のいずれか１項に記載のインクジェット記録装置。
【発明の詳細な説明】
【技術分野】
【０００１】
本発明は、インクジェット記録装置に関する。
【背景技術】
【０００２】
記録装置の一種として、インクジェット記録装置が知られている。インクジェット記録装置は、プリンター、複写機、複合機等に広く用いられている。インクジェット記録装置は、記録ヘッドのノズルからインク滴を吐出して、用紙のような被記録媒体に画像を記録する。
【０００３】
また、インクジェット記録装置の一種として、多数の吸引孔が穿孔された搬送ベルトに被記録媒体を吸着させるものが知られている。この種のインクジェット記録装置は、搬送ベルトによって被記録媒体を記録ヘッドに対向する位置へ搬送する。また、この種のインクジェット記録装置では、記録ヘッドに対向して配置された搬送板が搬送ベルトを支持する。搬送板には複数の貫通孔が設けられており、搬送板の複数の貫通孔と、搬送ベルトの複数の吸引孔とが連通することにより、被記録媒体が搬送ベルトへ向けて吸引される。
【０００４】
例えば特許文献１には、インクジェットヘッド（記録ヘッド）の下方の領域におけるプラテン（搬送板）の孔部（貫通孔）の数が調整された構成が記載されている。具体的には、記録ヘッドの下方の領域における搬送板の貫通孔の数が、用紙搬送方向に対して記録ヘッドよりも上流側の領域における搬送板の貫通孔の数よりも少なくされている。斯かる構成によれば、用紙搬送方向に対して記録ヘッドよりも上流側の領域において、搬送ベルトへ向けて用紙を吸引する吸引力が強くなり、用紙が搬送ベルトに確実に保持される。
【先行技術文献】
【特許文献】
【０００５】
【特許文献１】特開２００７−０３１００７号公報
【発明の概要】
【発明が解決しようとする課題】
【０００６】
しかしながら、特許文献１に記載された構成では、用紙搬送方向に対して記録ヘッドよりも上流側の空間が広くなる。その結果、用紙搬送方向に対して記録ヘッドよりも上流側の領域を被記録媒体が通過する際には、被記録媒体の上方の空間が広く空いている。また、搬送ベルトのうち被記録媒体が吸着されている部分では、搬送ベルトの吸引孔が塞がれている。これらのことから、用紙搬送方向に対して記録ヘッドよりも上流側の領域では、その領域を通過中の被記録媒体の上を流れる空気流の風速が小さい。そのため、用紙搬送方向に対して記録ヘッドよりも上流側の領域を通過している被記録媒体から、空気流によって紙粉のような異物を剥離させることができない。よって、被記録媒体の搬送に伴い、異物が記録ヘッドの下方まで運ばれて、記録ヘッドのノズルに異物が付着するおそれがある。ノズルに異物が付着すると、ノズルからインク滴を吐出できなくなるノズル詰まりが発生する。その結果、画像不良が発生する。
【０００７】
本発明は、上記問題に鑑みてなされたものであり、ノズルへの異物の付着を抑制できるインクジェット記録装置を提供することを目的とする。
【課題を解決するための手段】
【０００８】
本発明のインクジェット記録装置は、インク滴を吐出して、被記録媒体に画像を記録する。当該インクジェット記録装置は、ガイド部材と、搬送部と、記録ヘッドと、空間形成部材と、吸引部とを備える。前記ガイド部材は、複数の貫通孔を有し、前記被記録媒体を所定の搬送方向に案内する。前記搬送部は、前記被記録媒体を前記搬送方向に搬送する。前記記録ヘッドは、前記搬送部によって搬送されている前記被記録媒体に向けて前記インク滴を吐出する。前記空間形成部材は、前記搬送方向に対して前記記録ヘッドよりも上流に配置され、前記ガイド部材との間に異物回収空間を形成する。前記吸引部は、前記複数の貫通孔に吸引力を発生させる。前記複数の貫通孔は、前記搬送方向における前記空間形成部材の上流側の端及び下流側の端のそれぞれの下方付近にそれぞれ位置する第１貫通孔及び第２貫通孔を含む。前記吸引部は、前記空間形成部材の上流側の端及び下流側の端のそれぞれの下方付近に、前記第１貫通孔及び前記第２貫通孔を介して吸引力を発生させる。
【発明の効果】
【０００９】
本発明によれば、ノズルへの異物の付着を抑制できる。
【図面の簡単な説明】
【００１０】
【図１】本発明の実施形態に係るインクジェット記録装置の構成を示す図である。
【図２】本発明の実施形態に係る搬送ベルトを示す平面図である。
【図３】本発明の第１実施形態に係る搬送板を示す平面図である。
【図４】（ａ）本発明の実施形態に係る搬送板の溝及び貫通孔を示す平面図である。（ｂ）本発明の実施形態に係る搬送板の溝及び貫通孔を示す断面図である。
【図５】本発明の実施形態に係る記録部の構成を示す図である。
【図６】本発明の実施形態に係る板状部材の近傍の構成を示す図である。
【図７】本発明の実施形態に係る狭隙空間の空気流入口における風速と不吐出ノズル数との関係を示す図である。
【図８】本発明の第１実施形態に係る板状部材と搬送板の貫通孔との位置関係を示す図である。
【図９】板状部材と搬送板の貫通孔との位置関係の比較例を示す図である。
【図１０】本発明の実施形態に係る狭隙空間に用紙が進入する際の様子を示す図である。
【図１１】本発明の実施形態に係る狭隙空間から用紙が離れる際の様子を示す図である。
【図１２】本発明の第１実施形態に係る板状部材と搬送板の貫通孔との他の位置関係を示す図である。
【図１３】本発明の第１実施形態に係る搬送板の他の例を示す図である。
【図１４】本発明の第２実施形態に係る板状部材と搬送板の貫通孔との位置関係を示す図である。
【図１５】本発明の実施形態に係る吸引部の他の例を示す図である。
【図１６】本発明の実施形態に係る記録ヘッドの他の例を示す図である。
【発明を実施するための形態】
【００１１】
以下、図面を参照して本発明の実施形態を説明する。但し、図中、同一又は相当部分については同一の参照符号を付して説明を繰り返さない。図面は、理解しやすくするために、それぞれの構成要素を主体に模式的に示している。また、以下の各実施形態で示す材質や形状、寸法等は、一例であって特に限定されるものではない。
【００１２】
（第１実施形態）
まず、図１〜図１３を参照して、本発明の第１実施形態について説明する。図１は、本実施形態に係るインクジェット記録装置の構成を示す図である。インクジェット記録装置１はインク滴を吐出して、用紙Ｐ（被記録媒体の一例）に画像を記録する。
【００１３】
インクジェット記録装置１は、装置筐体１００と、装置筐体１００の内部の下方に配置された給紙部２と、給紙部２の上方に配置された記録部３と、記録部３の一側方（図１では右側）に配置された用紙搬送部４と、記録部３の他側方（図１では左側）に配置された用紙排出部５とを備える。
【００１４】
給紙部２は、用紙Ｐを用紙搬送部４へ給紙する。給紙部２は、装置筐体１００に着脱自在の給紙カセット２１と、給紙ローラー２２と、ガイド板２３とを備える。給紙ローラー２２は給紙カセット２１の一端側（図１では右側端）の上方に配置される。ガイド板２３は給紙ローラー２２と用紙搬送部４との間に配置される。
【００１５】
給紙カセット２１は、複数枚の用紙Ｐを収納可能である。給紙ローラー２２（ピックアップローラー）は、用紙Ｐを給紙カセット２１から１枚ずつ取り出し、ガイド板２３へ向けて送る。ガイド板２３は、給紙ローラー２２が取り出した用紙Ｐを用紙搬送部４へ案内する。
【００１６】
用紙搬送部４は、用紙Ｐを記録部３へ搬送する。用紙搬送部４は、略Ｃ字形の用紙搬送路４１と、用紙搬送路４１の入口側に設けられた第１搬送ローラー対４２と、用紙搬送路４１の途中に設けられた第２搬送ローラー対４３と、用紙搬送路４１の出口側に設けられたレジストローラー対４４とを備える。
【００１７】
用紙搬送路４１は、ガイド板によって構成される。第１搬送ローラー対４２は、給紙部２から給紙される用紙Ｐを挟んで用紙搬送路４１内に送出する。第２搬送ローラー対４３は、第１搬送ローラー対４２が送出した用紙Ｐを挟んでレジストローラー対４４へ向けて送出する。
【００１８】
レジストローラー対４４は、第２搬送ローラー対４３が送出した用紙Ｐの斜行補正を行う。また、レジストローラー対４４は、用紙Ｐへの画像の記録タイミングと、記録部３への用紙Ｐの搬送タイミングとを同期させるために、用紙Ｐを一時的に停止させた後、用紙Ｐを画像記録タイミングに合わせて記録部３に送出する。具体的には、用紙Ｐがレジストローラー対４４に当接して停止する。この当接により、用紙Ｐの斜行補正が行われる。その後、レジストローラー対４４が、用紙Ｐを画像記録タイミングに合わせて記録部３へ送出する。
【００１９】
記録部３は、用紙Ｐを搬送しつつ、用紙Ｐに画像を記録する。記録部３は、搬送部３１と、搬送板３２（ガイド部材の一例）と、搬送ガイド３３と、４種類の記録ヘッド３４ａ、３４ｂ、３４ｃ、３４ｄと、板状部材３５（空間形成部材の一例）と、ヘッドベース３６と、吸引部３７とを備える。４種類の記録ヘッド３４ａ、３４ｂ、３４ｃ、３４ｄは、略同一の構成を有するため、記録ヘッド３４と総称することもある。
【００２０】
搬送部３１は、レジストローラー対４４から送出された用紙Ｐを搬送する。搬送部３１は、搬送ベルト３１０（無端ベルトの一例）を備える。搬送部３１は、搬送ベルト３１０を所定の回転方向（図１では反時計回り方向）に回転させる。レジストローラー対４４が送出した用紙Ｐは、搬送ベルト３１０上に導かれる。搬送ベルト３１０が回転することにより、用紙Ｐが搬送される。
【００２１】
搬送板３２は、搬送ベルト３１０を支持すると共に、搬送ベルト３１０を介して用紙Ｐを支持する。搬送板３２は、搬送部３１（搬送ベルト３１０）が搬送する用紙Ｐを、矢印Ｘで示す方向（副走査方向）へ案内する。以下、搬送部３１（搬送ベルト３１０）によって用紙Ｐが搬送される方向を、用紙搬送方向Ｘと記載する。
【００２２】
搬送ガイド３３は、用紙搬送方向Ｘに対して搬送板３２よりも下流側（図１では左側）に配置される。したがって搬送板３２は、用紙Ｐを搬送ガイド３３へ案内する。つまり、搬送部３１は、用紙Ｐを搬送ガイド３３へ送出する。搬送ガイド３３は、搬送部３１が送出した用紙Ｐを用紙排出部５に案内する。
【００２３】
記録ヘッド３４は、ヘッドベース３６に保持されて搬送部３１の上方に配置され、搬送ベルト３１０を介して搬送板３２に対向する。記録ヘッド３４は、搬送部３１（搬送ベルト３１０）が用紙Ｐを搬送している間に、用紙Ｐに画像を記録する。詳しくは、記録ヘッド３４は、記録ヘッド３４に対向する位置を通過する用紙Ｐへ向けてインク滴を吐出する。これにより、用紙Ｐに文字、図形のような画像が記録される。
【００２４】
板状部材３５は、用紙搬送方向Ｘに対して記録ヘッド３４よりも上流側（図１では右側）に配置される。詳しくは、記録ヘッド３４ａ、３４ｂ、３４ｃ、３４ｄのうち、用紙搬送方向Ｘに対して最も上流側に位置する記録ヘッド３４ａよりも上流側に板状部材３５が配置される。したがって用紙Ｐは、板状部材３５の下方を通過した後、記録ヘッド３４の下方を通過して、搬送ガイド３３に至る。以下、記録ヘッド３４ａを最上流記録ヘッド３４ａと記載する場合がある。
【００２５】
また板状部材３５は、ヘッドベース３６の搬送部３１側（搬送板３２側）の面に固定されて、搬送部３１の上方に配置される。つまり、板状部材３５は、搬送ベルト３１０を介して搬送板３２に対向する。これにより、搬送ベルト３１０と板状部材３５との間に狭隙空間３５１（異物回収空間の一例）が形成される。板状部材３５をヘッドベース３６に固定することにより、板状部材３５を所定位置に容易に配置することができる。
【００２６】
吸引部３７は、搬送板３２の下方に配置される。吸引部３７は、搬送板３２及び搬送ベルト３１０を介して、用紙Ｐを搬送ベルト３１０へ向けて吸引する。その結果、用紙Ｐが搬送ベルト３１０に吸着される。
【００２７】
用紙排出部５は、用紙Ｐを装置筐体１００の外部に排出する。用紙排出部５は、排出ローラー対５１と、排出トレイ５２とを備える。排出トレイ５２は、装置筐体１００に形成された排出口１１から外部に突出するように装置筐体１００に固定される。排出口１１は、装置筐体１００の一方側面（図１では左側面）に形成されている。
【００２８】
排出ローラー対５１は、搬送ガイド３３を通過した用紙Ｐを排出口１１の方向に送出する。排出ローラー対５１が送出した用紙Ｐは、排出トレイ５２によって案内されて、排出口１１を介して装置筐体１００の外部に排出され、排出トレイ５２上に載置される。複数枚の用紙Ｐに連続して画像が記録された場合、複数枚の用紙Ｐは、排出トレイ５２上に積載される。
【００２９】
本実施形態では、板状部材３５が、用紙搬送方向Ｘに対して最上流記録ヘッド３４ａよりも上流に狭隙空間３５１を形成する。これにより、狭隙空間３５１に風を発生させることができる。そして、その風によって、紙粉のような異物を用紙Ｐから剥離させることができる。つまり、レジストローラー対４４から記録部３へ送出された用紙Ｐには異物が付着している可能性がある。これに対し、板状部材３５を設けることにより、最上流記録ヘッド３４ａに対向する位置に用紙Ｐが到達するよりも前に用紙Ｐから異物を剥離させて、記録ヘッド３４の下方へ搬送される異物の量を減らすことができる。その結果、記録ヘッド３４のノズルへの異物の付着を抑制することができる。
【００３０】
異物は、製紙工程中に発生する可能性がある。具体的には、裁断工程において用紙Ｐの切断面に切り粉（紙粉）が発生して、用紙Ｐに付着する可能性がある。また、梱包時に用紙Ｐの表面同士が擦れて、紙粉や炭酸カルシウム、タルクのような異物が用紙Ｐから剥離し、用紙Ｐに付着する可能性がある。
【００３１】
また紙粉は、インクジェット記録装置１内で用紙Ｐを搬送する際に発生する可能性がある。例えば、用紙Ｐが給紙ローラー２２と摺擦することにより、用紙Ｐから繊維や填料が剥離し、紙粉となって用紙Ｐに付着する可能性がある。同様に、用紙Ｐが第１搬送ローラー対４２等の搬送ローラーと摺擦して紙粉が発生する可能性がある。また、用紙搬送部４を構成するガイド板に用紙Ｐが摺擦して紙粉が発生する可能性がある。更に、給紙ローラー２２が用紙Ｐをピックアップする際に、ピックアップされる用紙Ｐが、給紙カセット２１に収納されている用紙Ｐと摺擦して紙粉が発生する可能性がある。
【００３２】
また、用紙Ｐに付着している紙粉のような異物が、第１搬送ローラー対４２等の搬送ローラーに付着する可能性がある。この場合、搬送ローラーに付着した異物が、後から搬送される用紙Ｐに再度付着し、その結果、用紙Ｐによって一度に搬送される異物の量が多くなる可能性がある。
【００３３】
また、インクジェット記録装置１の装置筐体１００の内部には、様々な空気の流れが発生している。例えば、搬送ベルト３１０の上方から吸引部３７の内部へ空気が流れる。また、用紙Ｐが搬送されることで、用紙搬送方向Ｘへの空気の流れが発生する。したがって、用紙Ｐは風に当たりながら記録ヘッド３４の下方を通過する。また、記録ヘッド３４と搬送ベルト３１０との間の空間は狭いため、記録ヘッド３４と搬送ベルト３１０との間では、比較的強い風が発生し易い。したがって、記録ヘッド３４の下方は、風によって用紙Ｐから異物が吹き飛ばされやすい（舞い上がりやすい）環境になっている。そのため、用紙Ｐから吹き飛ばされた異物が記録ヘッド３４のノズルに付着する可能性がある。
【００３４】
また、紙粉の付着力は、一般的にクーロン力が支配的となる。このため、搬送板３２と記録ヘッド３４との間に電界が生じた場合、その電気的な力によって、紙粉が飛翔し、記録ヘッド３４へ引き寄せられる可能性がある。その結果、紙粉が記録ヘッド３４のノズルに付着する可能性がある。
【００３５】
本実施形態では、狭隙空間３５１に風を発生させることによって、紙粉のような異物を用紙Ｐから剥離させる。狭隙空間３５１に流れる空気は、用紙Ｐから異物を剥離させるために十分な風速で流れる必要がある。具体的には、用紙Ｐが狭隙空間３５１に進入した際に、狭隙空間３５１の空気流入口（詳しくは、板状部材３５と用紙Ｐとの間。以下、同様である。）に６．０ｍ／秒以上の風速の風（空気の流れ）を発生させることにより、用紙Ｐから異物を剥離することができる。用紙Ｐから剥離した異物は、吸引部３７の内部へ吸引される。
【００３６】
続いて図２を参照して、搬送ベルト３１０について説明する。図２は、搬送ベルト３１０を示す平面図である。図２に示すように、搬送ベルト３１０には複数の吸引孔３１１が穿孔されている。吸引孔３１１の直径は、２ｍｍであり得る。また、隣接する吸引孔３１１間の間隔は、８ｍｍであり得る。
【００３７】
複数の吸引孔３１１は、用紙搬送方向Ｘ、及び、用紙搬送方向Ｘに直交する方向（主走査方向）に沿って配列される。以下、用紙搬送方向Ｘに直交する方向を用紙幅方向と記載する。複数の吸引孔３１１は、図２に示すように、千鳥状に配置され得る。
【００３８】
続いて図３及び図４を参照して、搬送板３２について説明する。図３は、搬送板３２を示す平面図である。詳しくは、図３は、搬送板３２の記録ヘッド３４（図１参照）側の面３２０の一部を示す。以下、搬送板３２の記録ヘッド３４側の面３２０を支持面３２０と記載する場合がある。搬送板３２は支持面３２０により、搬送ベルト３１０（図１参照）を介して用紙Ｐを支持する。
【００３９】
搬送板３２は、金属材料から構成される。具体的には、搬送板３２の材料として、アルミダイキャスト、プレス加工板等を使用できる。あるいは、搬送板３２の材料として、搬送ベルト３１０との摺動性に優れた樹脂を選択することも可能である。搬送板３２が金属材料から構成される場合、搬送板３２は接地され得る。
【００４０】
図３に示すように、支持面３２０に複数の溝３２１が形成されている。各溝３２１は、記録ヘッド３４（図１参照）側が開口する長溝である。詳しくは、各溝３２１の形状は、用紙搬送方向Ｘに延伸する長円状である。
【００４１】
複数の溝３２１は、用紙搬送方向Ｘ及び用紙幅方向に沿って配列される。複数の溝３２１は、図３に示すように、千鳥状に配置され得る。詳しくは、複数の溝３２１は、搬送ベルト３１０の吸引孔３１１（図２参照）と対向し得る位置に配列される。つまり複数の溝３２１は、吸引孔３１１と連通できる位置に配列される。この配列により、搬送ベルト３１０の進行（回転）に伴って、各溝３２１に対向する吸引孔３１１が１つずつ入れ替わってゆく。各溝３２１は、少なくとも２つの吸引孔３１１と対向し得るように形成される。
【００４２】
また搬送板３２には、複数の貫通孔３２２が形成されている。複数の貫通孔３２２は、複数の溝３２１内に位置する。詳しくは、各溝３２１内に１つの貫通孔３２２が位置する。各貫通孔３２２は、対応する溝３２１に連通する。各貫通孔３２２の断面は、円形状であり得る。複数の貫通孔３２２は、図３に示すように千鳥状に配置され得る。
【００４３】
また図３において、破線Ａは、用紙幅方向に沿って複数の貫通孔３２２が並ぶ列を示し、破線Ｂは、用紙幅方向に貫通孔３２２が存在しない列を示す。本実施形態では、用紙搬送方向Ｘに沿って列Ａと列Ｂとが交互に並んでいる。
【００４４】
図４（ａ）は、溝３２１及び貫通孔３２２を示す平面図であり、図４（ｂ）は、溝３２１及び貫通孔３２２を示す断面図である。詳しくは、図４（ａ）は、溝３２１及び貫通孔３２２を示し、図４（ｂ）は、図４（ａ）に示すＡ−Ａ線に沿った搬送板３２の断面を示している。図４（ａ）及び図４（ｂ）に示すように、貫通孔３２２は、搬送板３２をその厚み方向に貫通しており、貫通孔３２２の一方端は、対応する溝３２１内に開口する。
【００４５】
続いて、図１、図２、及び図５を参照して、記録部３の構成を説明する。図５は、記録部３の構成を示す図である。図５は、理解を容易にするために、搬送板３２の断面及び吸引部３７の一部（箱状部材３７１）の断面を示している。
【００４６】
搬送部３１は、装置筐体１００（図１参照）内において、記録ヘッド３４に対向する。搬送部３１は、搬送ベルト３１０の内周側に配置された駆動ローラー３１２、ベルト速度検知ローラー３１３、テンションローラー３１４、及び一対のガイドローラー３１５を備える。搬送部３１は更に、搬送ベルト３１０の外周側に配置された吸着ローラー３１６を備える。
【００４７】
搬送ベルト３１０は、駆動ローラー３１２、ベルト速度検知ローラー３１３、テンションローラー３１４、及び一対のガイドローラー３１５に張架される。張架された搬送ベルト３１０の内周側に、搬送板３２及び吸引部３７が配置される。搬送板３２は、搬送ベルト３１０を介して、記録ヘッド３４及び板状部材３５に対向する。吸引部３７は、搬送ベルト３１０の内周側において、搬送板３２の下方に配置される。
【００４８】
駆動ローラー３１２は、用紙搬送方向Ｘに対して搬送板３２よりも下流側（図５では左側）に配置される。駆動ローラー３１２はモーター（図示せず）によって回転駆動され、所定の回転方向（図５では反時計回り方向）に搬送ベルト３１０を回転させる。搬送ベルト３１０が回転することにより、用紙Ｐが用紙搬送方向Ｘに搬送される。
【００４９】
ベルト速度検知ローラー３１３は、用紙搬送方向Ｘに対して搬送板３２よりも上流側（図５では右側）に配置され、搬送ベルト３１０との間に発生する摩擦によって回転する。好ましくは、ベルト速度検知ローラー３１３は、駆動ローラー３１２と共に、記録ヘッド３４と対面する箇所の搬送ベルト３１０の平面性を維持するように配置される。
【００５０】
ベルト速度検知ローラー３１３はパルス板（図示せず）を含み、パルス板は、ベルト速度検知ローラー３１３と一体になって回転する。パルス板の回転速度を測定することにより、搬送ベルト３１０の回転速度が検知される。
【００５１】
テンションローラー３１４は、搬送ベルト３１０が撓まないように、搬送ベルト３１０に張力を与える。一対のガイドローラー３１５は、搬送ベルト３１０が吸引部３７の下方を通過するように、搬送ベルト３１０を案内する。
【００５２】
吸着ローラー３１６は従動ローラーである。吸着ローラー３１６は、用紙搬送方向Ｘにおける搬送板３２の上流側の端部に、搬送ベルト３１０を介して対向する。吸着ローラー３１６は、レジストローラー対４４（図１参照）が送出した用紙Ｐを搬送ベルト３１０上へ誘導して、搬送ベルト３１０に吸着させる。
【００５３】
吸引部３７は、搬送板３２の溝３２１及び貫通孔３２２と、搬送ベルト３１０の吸引孔３１１（図２参照）とを介して、空気を吸引する。この吸引により、ヘッドベース３６の下方の空間に風が発生する。用紙Ｐが搬送ベルト３１０上に案内されて搬送ベルト３１０の一部を覆うと、用紙Ｐに吸引力（負圧）が作用して、用紙Ｐが搬送ベルト３１０に吸着される。吸引部３７は、上面が開口した箱状部材３７１と、吸引装置３７２と、ダクト３７３とを備える。
【００５４】
搬送板３２は、箱状部材３７１の上面開口を覆うように配置される。搬送板３２と箱状部材３７１とにより、圧力室３７４が区画される。圧力室３７４は、搬送板３２の貫通孔３２２及び溝３２１を介して、搬送ベルト３１０の吸引孔３１１に連通する。
【００５５】
吸引装置３７２は、箱状部材３７１の下面に固定される。詳しくは、箱状部材３７１の底壁に開口３７５が形成されており、吸引装置３７２は開口３７５に対応して配置される。また、吸引装置３７２の下面にダクト３７３が接続されている。吸引装置３７２は、ファンである。例えば、吸引装置３７２としてブロアファンを使用し得る。但し、吸引装置３７２はファンに限定されるものではなく、例えば真空ポンプであってもよい。
【００５６】
吸引装置３７２が駆動することによって、圧力室３７４内に、５００Ｐａの負圧（ゲージ圧）が発生する。この負圧により、貫通孔３２２を介して溝３２１に吸引力が発生し、溝３２１を介して搬送ベルト３１０の吸引孔３１１に吸引力が発生する。その結果、搬送ベルト３１０の吸引孔３１１、搬送板３２の溝３２１、及び搬送板３２の貫通孔３２２を介して、圧力室３７４内に空気が吸引される。圧力室３７４内に吸引された空気は、吸引装置３７２及びダクト３７３を介して排気される。また、用紙Ｐが搬送ベルト３１０上に案内されて、複数の吸引孔３１１のうちの一部を塞ぐと、用紙Ｐによって塞がれた吸引孔３１１から用紙Ｐに吸引力（負圧）が作用して、用紙Ｐが搬送ベルト３１０に吸着される。
【００５７】
４種類の記録ヘッド３４ａ、３４ｂ、３４ｃ、３４ｄはそれぞれ、互いに異なる色のインク滴を吐出し得る。具体的には、ブラック、シアン、マゼンタ、及びイエローの各色のインク滴が、それぞれ、各記録ヘッド３４ａ、３４ｂ、３４ｃ、３４ｄから吐出され得る。
【００５８】
また、記録ヘッド３４はヘッドベース３６に保持されて、搬送ベルト３１０との間に所定の間隔（１ｍｍ）が形成されるような高さに支持され得る。なおインクジェット記録装置１は、搬送ベルト３１０によって搬送される用紙Ｐ（被記録媒体）の厚みに応じてヘッドベース３６を昇降させる機構を備え得る。斯かる構成により、記録ヘッド３４と用紙Ｐとの間に所定の距離（１ｍｍ）が形成されるような高さに、記録ヘッド３４を支持することが可能となる。
【００５９】
４種類の記録ヘッド３４ａ、３４ｂ、３４ｃ、３４ｄは、用紙搬送方向Ｘの上流側から下流側に向けて（図５では左向きに）並設される。記録ヘッド３４は、用紙幅方向（図５では、紙面に直交する方向）に配列された複数のノズル（図示せず）を備える。複数のノズルからインク滴が吐出されて、用紙Ｐに文字、図形のような画像が記録される。
【００６０】
なお、記録ヘッド３４はラインヘッドと呼ばれる。即ち、インクジェット記録装置１は、ラインヘッド方式のインクジェット記録装置である。本実施形態において、記録ヘッド３４の用紙幅方向の長さは、搬送板３２が案内可能な（つまり、インクジェット記録装置１が記録可能な）被記録媒体の最大幅以上である。
【００６１】
板状部材３５は、ヘッドベース３６に固定されて、最上流記録ヘッド３４ａと吸着ローラー３１６との間に配置される。板状部材３５の用紙搬送方向Ｘの長さは、６０ｍｍである。板状部材３５の少なくとも下面は、導電体から構成され得る。導電体としては、ステンレス等を使用し得る。板状部材３５の全部、又は板状部材３５を部分的に構成する導電体は、接地され得る。
【００６２】
上述したように、本実施形態では、狭隙空間３５１に風を発生させることにより、紙粉のような異物を用紙Ｐから剥離させる。剥離した異物は、圧力室３７４内へ吸引され、吸引装置３７２を介してダクト３７３から排出される。
【００６３】
ヘッドベース３６には、第１孔３６１が形成されている。第１孔３６１は、用紙搬送方向Ｘに対して板状部材３５よりも上流（図５では右側）に位置する。またヘッドベース３６には、第２孔３６２が形成されている。第２孔３６２は、用紙搬送方向Ｘに対して板状部材３５よりも下流（図５では左側）に位置する。換言すれば、用紙搬送方向Ｘにおいて板状部材３５を挟むように第１孔３６１及び第２孔３６２が設けられる。
【００６４】
第１孔３６１及び第２孔３６２はそれぞれ、用紙幅方向に延びた長孔である。圧力室３７４が負圧になると、第１孔３６１及び第２孔３６２を介して狭隙空間３５１に空気が流入する。なお、本実施形態では、用紙幅方向に延びた第１孔３６１及び第２孔３６２がヘッドベース３６に形成される場合について説明するが、本発明はこれに限定されない。ヘッドベース３６に形成される孔は、長孔以外の形状であってもよい。例えば、用紙幅方向に沿って略円柱状の孔が複数個形成されてもよい。
【００６５】
続いて図６を参照して、板状部材３５と用紙Ｐ（被記録媒体）との間の距離ＴＤについて説明する。図６は、板状部材３５の近傍の構成を示す図である。
【００６６】
本実施形態において、板状部材３５と用紙Ｐとの間の距離ＴＤは、１．５ｍｍ以上３．０ｍｍ以下である。距離ＴＤは、例えば２ｍｍである。距離ＴＤをこのように設定し、圧力室３７４内に５００Ｐａの負圧（ゲージ圧）を発生させることで、狭隙空間３５１の空気流入口に６．０ｍ／秒以上の風速の風を発生させることができる。
【００６７】
本発明者らは、狭隙空間３５１の空気流入口における風速と、不吐出ノズル数との関係について鋭意検討を重ね、狭隙空間３５１の空気流入口における風速が大きい程、不吐出ノズル数が減少することを見出した。ここで不吐出ノズルとは、異物が付着することにより、インク滴を吐出できなくなったノズルを示す。図７は、狭隙空間３５１の空気流入口における風速と不吐出ノズル数との関係を示す図である。図７において、横軸は、狭隙空間３５１の空気流入口における風速（狭隙空間入口風速）を示す。縦軸は、不吐出ノズル数を示す。図７に示すように、風速が大きい程、不吐出ノズル数が減少した。この傾向は、風速が６．０ｍ／秒になるまで続いた。しかし、風速が６．０ｍ／秒を超えると、不吐出ノズル数に変化が見られなくなった。そこで、本発明者らは、狭隙空間３５１の空気流入口における風速として、６．０ｍ／秒以上を設定するに至った。
【００６８】
続いて図８を参照して、板状部材３５と搬送板３２の貫通孔３２２との位置関係について説明する。図８は、板状部材３５と搬送板３２の貫通孔３２２との位置関係を示す図である。図８に示すように、複数の貫通孔３２２は、貫通孔３２２ａ（第１貫通孔の一例）と、貫通孔３２２ｂ（第２貫通孔の一例）と、貫通孔３２２ｃ（第３貫通孔の一例）とを含む。
【００６９】
貫通孔３２２ａは、用紙搬送方向Ｘにおける板状部材３５の上流側の端の下方付近に位置する。以下、用紙搬送方向Ｘにおける板状部材３５の上流側の端を、板状部材３５の上流側の端と記載する場合がある。また、貫通孔３２２ａを上流側貫通孔３２２ａと記載する場合がある。
【００７０】
貫通孔３２２ｂは、用紙搬送方向Ｘにおける板状部材３５の下流側の端の下方付近に位置する。以下、用紙搬送方向Ｘにおける板状部材３５の下流側の端を、板状部材３５の下流側の端と記載する場合がある。また、貫通孔３２２ｂを下流側貫通孔３２２ｂと記載する場合がある。
【００７１】
貫通孔３２２ｃは、用紙搬送方向Ｘに対して、板状部材３５の上流側の端よりも下流側であって、板状部材３５の下流側の端よりも上流側において、板状部材３５の下方に位置する。換言すると、貫通孔３２２ｃは、用紙搬送方向Ｘにおける板状部材３５の上流側及び下流側のそれぞれの端よりも内側の下方に位置する。即ち、貫通孔３２２ｃは、用紙搬送方向Ｘに対して、上流側貫通孔３２２ａよりも下流側であって、下流側貫通孔３２２ｂよりも上流側に位置する。以下、用紙搬送方向Ｘにおける板状部材３５の上流側及び下流側のそれぞれの端よりも内側を、板状部材３５の内側と記載する場合がある。また、板状部材３５の上流側の端と、板状部材３５の下流側の端とを纏めて、板状部材３５の両端と記載する場合がある。また、貫通孔３２２ｃを内側貫通孔３２２ｃと記載する場合がある。
【００７２】
以上のように、板状部材３５の両端の下方付近にそれぞれ貫通孔３２２（３２２ａ、３２２ｂ）が位置するとともに、板状部材３５の内側の下方に貫通孔３２２（３２２ｃ）が位置するように、板状部材３５の用紙搬送方向Ｘの長さ、及び板状部材３５の位置が決定される。
【００７３】
また本実施形態では、複数の上流側貫通孔３２２ａが、用紙幅方向に沿って配置されている。同様に、複数の下流側貫通孔３２２ｂが、用紙幅方向に沿って配置されている。即ち、板状部材３５の両端がそれぞれ、図３を参照して説明した列Ａに近い位置に配置されるように、板状部材３５が設けられている。
【００７４】
更に本実施形態では、複数の上流側貫通孔３２２ａ及び複数の下流側貫通孔３２２ｂがいずれも板状部材３５の下方に配置されている。また、用紙搬送方向Ｘに沿って配置された複数の溝３２１から成る列が、用紙幅方向に複数本形成されており、複数の溝３２１から成る各列に、少なくとも１つの内側貫通孔３２２ｃが含まれている。
【００７５】
本実施形態によれば、板状部材３５の両端の下方付近にそれぞれ貫通孔３２２（３２２ａ、３２２ｂ）が設けられている。よって、吸引部３７（図５参照）が、板状部材３５の両端の下方付近にそれぞれ、上流側貫通孔３２２ａ及び下流側貫通孔３２２ｂを介して吸引力を発生させることができる。更に吸引部３７は、内側貫通孔３２２ｃを介して、板状部材３５の内側の下方に吸引力を発生させることができる。
【００７６】
また本実施形態によれば、板状部材３５の上流側の端の下方付近に貫通孔３２２（３２２ａ）が位置する。その結果、用紙搬送方向Ｘに対して板状部材３５よりも上流側の位置から狭隙空間３５１（図５参照）へ流れ込む風（空気の流れ）を、確実に発生させることができる。以下、用紙搬送方向Ｘに対して板状部材３５よりも上流側の位置から狭隙空間３５１へ流れ込む風を、狭隙空間３５１へ流れ込む上流からの風と記載する場合がある。
【００７７】
また本実施形態によれば、板状部材３５の下流側の端の下方付近に貫通孔３２２（３２２ｂ）が位置する。これにより、用紙搬送方向Ｘに対して板状部材３５よりも下流側の位置から狭隙空間３５１へ流れ込む風（空気の流れ）を、確実に発生させることができる。以下、用紙搬送方向Ｘに対して板状部材３５よりも下流側の位置から狭隙空間３５１へ流れ込む風を、狭隙空間３５１へ流れ込む下流からの風と記載する場合がある。
【００７８】
以上のように本実施形態によれば、狭隙空間３５１へ流れ込む上流からの風、及び、狭隙空間３５１へ流れ込む下流からの風を、確実に発生させることができる。したがって、狭隙空間３５１において用紙Ｐから紙粉のような異物を効率よく剥離させることができる。更に本実施形態では、複数の上流側貫通孔３２２ａが用紙幅方向に沿って配置されている。また複数の下流側貫通孔３２２ｂが用紙幅方向に沿って配置されている。斯かる構成によれば、狭隙空間３５１において用紙Ｐから紙粉のような異物を更に効率よく剥離させることができる。
【００７９】
また本実施形態によれば、狭隙空間３５１へ流れ込む下流からの風が発生する。その結果、板状部材３５よりも下流側の位置から記録ヘッド３４の下方へ向かう空気の流れを抑制することができる。また、狭隙空間３５１から記録ヘッド３４の下方へ向かう空気の流れを抑制することができる。したがって、狭隙空間３５１において用紙Ｐから剥離し、空気の流れによって記録ヘッド３４の下方の空間へ向けて運ばれる異物の量を抑制することができる。
【００８０】
これに対し、例えば図９に示すように、板状部材３５の両端がそれぞれ、図３を参照して説明した列Ｂに近い位置に配置された場合、板状部材３５の両端の下方付近のいずれにも貫通孔３２２が存在しなくなる。そのため、狭隙空間３５１へ流れ込む上流からの風の量が、図８に示す構成に比べて少なくなる。同様に、狭隙空間３５１へ流れ込む下流からの風の量が、図８に示す構成に比べて少なくなる。その結果、図９に示す構成では、図８に示す構成に比べて、紙粉のような異物を用紙Ｐから効率よく剥離させることができない。
【００８１】
また図９に示す構成では、狭隙空間３５１へ流れ込む下流からの風の量が、図８に示す構成に比べて少なくなる。そのため、図８に示す構成に比べて、記録ヘッド３４の下方の空間へ向けて運ばれる異物の量を抑制することができない。
【００８２】
続いて図１〜図８、図１０、及び図１１を参照して、記録部３の動作について説明する。図１０は、狭隙空間３５１に用紙Ｐが進入する際の様子を示す図である。詳しくは、図１０は、用紙Ｐが狭隙空間３５１に進入する際に、用紙Ｐの前端部（図１０では左側の端部）から異物ｍが剥離する様子を示す。図１１は、狭隙空間３５１から用紙Ｐが離れる際の様子を示す図である。詳しくは、図１１は、用紙Ｐが狭隙空間３５１から離れる際に、用紙Ｐの後端部（図１１では右側の端部）から異物ｍが剥離する様子を示す。
【００８３】
用紙Ｐに画像を記録する際には、駆動ローラー３１２が回転駆動されるとともに、吸引装置３７２が駆動される。これにより、搬送ベルト３１０が回転し、圧力室３７４に負圧が発生する。この負圧により、各貫通孔３２２を介して各溝３２１に吸引力が発生する。そして、回転する搬送ベルト３１０の各吸引孔３１１に、各溝３２１を介して吸引力が発生する。詳しくは、回転する搬送ベルト３１０のうち、搬送板３２によって支持される箇所に位置する各吸引孔３１１（搬送板３２上の各吸引孔３１１）に吸引力が発生する。その結果、搬送板３２及び搬送ベルト３１０を介して圧力室３７４へ空気が吸引される。また、第１孔３６１及び第２孔３６２から狭隙空間３５１に空気が流入する。
【００８４】
レジストローラー対４４により記録部３へ送出された用紙Ｐは、吸着ローラー３１６によって搬送ベルト３１０上に導かれる。この際、用紙Ｐの用紙幅方向の中心が、搬送ベルト３１０の用紙幅方向の中心と一致するように、用紙Ｐが搬送ベルト３１０に導かれることが好ましい。用紙Ｐは、搬送ベルト３１０の一部を覆う。換言すれば、複数の吸引孔３１１の一部を覆う。その結果、吸引力（負圧）が用紙Ｐに作用して、用紙Ｐが搬送ベルト３１０に吸着される。そして、用紙Ｐは、搬送ベルト３１０の回転に伴って用紙搬送方向Ｘに搬送される。
【００８５】
用紙Ｐは、搬送ベルト３１０によって、板状部材３５の下方を通過した後、記録ヘッド３４の下方を通過する。板状部材３５の下方、つまり狭隙空間３５１に用紙Ｐが進入すると、図１０に示すように、用紙Ｐの前端部が、矢印Ｄ１で示す風に曝される。矢印Ｄ１で示す風は、第１孔３６１から狭隙空間３５１へ向けて流入する空気の流れであり、用紙搬送方向Ｘの上流側から下流側に向けて（図１０では左向きに）吹く。即ち、矢印Ｄ１で示す風は、図８を参照して説明した狭隙空間３５１へ流れ込む上流からの風である。この風によって、用紙Ｐの前端部に付着している異物ｍが、用紙Ｐから剥離される。剥離された異物ｍは、板状部材３５の下方に位置する吸引孔３１１から、板状部材３５の下方に位置する溝３２１へ導かれ、対応する貫通孔３２２を介して圧力室３７４内へ導かれる。そして、圧力室３７４を通り、吸引装置３７２及びダクト３７３を通過して、外部に排出される。
【００８６】
また、用紙Ｐが狭隙空間３５１から離れる際には、図１１に示すように、用紙Ｐの後端部が、矢印Ｄ２で示す風に曝される。矢印Ｄ２で示す風は、第２孔３６２から狭隙空間３５１へ向けて流入する空気の流れであり、用紙搬送方向Ｘの下流側から上流側に向けて（図１１では右向きに）吹く。即ち、矢印Ｄ２で示す風は、図８を参照して説明した狭隙空間３５１へ流れ込む下流からの風である。この風によって、用紙Ｐの後端部に付着している異物ｍが、用紙Ｐから剥離される。剥離された異物ｍは、板状部材３５の下方に位置する吸引孔３１１から、板状部材３５の下方に位置する溝３２１へ導かれ、対応する貫通孔３２２を介して圧力室３７４内へ導かれる。そして、圧力室３７４を通り、吸引装置３７２及びダクト３７３を通過して、外部に排出される。
【００８７】
用紙Ｐが記録ヘッド３４の下方を通過する際には、４種類の記録ヘッド３４ａ、３４ｂ、３４ｃ、３４ｄにそれぞれ対向する位置へ用紙Ｐの各部分が連続して搬送される。この間に、４種類の記録ヘッド３４ａ、３４ｂ、３４ｃ、３４ｄから、それぞれ、各色のインク滴が用紙Ｐへ向けて吐出される。これによって、用紙Ｐに画像が記録される。
【００８８】
以上説明したように、本実施形態によれば、記録ヘッド３４のノズルへの異物の付着を抑制できる。更に本実施形態によれば、狭隙空間３５１へ流れ込む上流からの風、及び、狭隙空間３５１へ流れ込む下流からの風を、確実に発生させることができる。したがって、狭隙空間３５１において用紙Ｐから紙粉のような異物を効率よく剥離させることができる。
【００８９】
また本実施形態によれば、狭隙空間３５１へ流れ込む下流からの風を、確実に発生させることができる。よって、狭隙空間３５１において用紙Ｐから剥離し、空気の流れによって記録ヘッド３４の下方の空間へ向けて運ばれる異物の量を抑制することができる。
【００９０】
また本実施形態によれば、板状部材３５の少なくとも下面が導電体から構成される。斯かる構成によれば、帯電している紙粉が板状部材３５に付着し難くなる。また、板状部材３５を構成する導電体を接地することにより、帯電している紙粉が板状部材３５に更に付着し難くなる。
【００９１】
また本実施形態によれば、ヘッドベース３６に第１孔３６１及び第２孔３６２が形成されているため、狭隙空間３５１に空気をスムーズに流れ込ませることができる。
【００９２】
なお、本実施形態では、上流側貫通孔３２２ａ及び下流側貫通孔３２２ｂがいずれも板状部材３５の下方に配置される場合について説明しているが、本発明はこれに限定されない。板状部材３５の両端がそれぞれ、図３を参照して説明した列Ａに近い位置に配置されるように、板状部材３５が設けられていればよい。具体的には、図１２に示すように、上流側貫通孔３２２ａは、板状部材３５の上流側の端の外側の下方に位置してもよい。同様に、下流側貫通孔３２２ｂは、板状部材３５の下流側の端の外側の下方に位置してもよい。
【００９３】
また、本実施形態では、複数の溝３２１から成る各列に、少なくとも１つの内側貫通孔３２２ｃが含まれる形態が説明されたが、本発明はこれに限定されない。複数の溝３２１から成る複数本の列の一部に、少なくとも１つの内側貫通孔３２２ｃが含まれる形態であってもよい。例えば図１３に示すように、内側貫通孔３２２ｃが存在する列と、内側貫通孔３２２ｃが存在しない列とが、用紙幅方向に沿って交互に形成されてもよい。
【００９４】
（第２実施形態）
続いて図１４を参照して、本発明の第２実施形態について説明する。但し、第１実施形態との相違点を説明し、第１実施形態と重複する説明については、省略又は簡略化する。
【００９５】
図１４は、第２実施形態に係る板状部材３５と搬送板３２の貫通孔３２２との位置関係を示す図である。第２実施形態は、搬送板３２の構成が第１実施形態と異なる。具体的には、貫通孔３２２の配置が第１実施形態と異なる。
【００９６】
図１４に示すように、第２実施形態では、下流側貫通孔３２２ｂの数が、上流側貫通孔３２２ａの数よりも多くなるように、搬送板３２に貫通孔３２２が形成されている。即ち、板状部材３５の下流側の端の下方付近における単位面積当たりの貫通孔３２２の数が、板状部材３５の上流側の端の下方付近における単位面積当たりの貫通孔３２２の数よりも多い。
【００９７】
斯かる構成によれば、板状部材３５の下流側の端の下方に発生する吸引力が、板状部材３５の上流側の端の下方に発生する吸引力よりも大きくなる。図８を参照して説明したように、板状部材３５の下流側の端の下方に発生する吸引力は、狭隙空間３５１へ流れ込む下流からの風（空気の流れ）を発生させる。したがって、本実施形態によれば、板状部材３５の下流側の端の下方に発生する吸引力を大きくすることができるので、狭隙空間３５１へ流れ込む下流からの風の風速を大きくすることができる。そして、狭隙空間３５１へ流れ込む下流からの風は、空気の流れによって記録ヘッド３４の下方の空間へ向けて運ばれる異物の量を抑制する。即ち、記録ヘッド３４のノズルへの異物の付着を抑制する。よって、本実施形態によれば、狭隙空間３５１へ流れ込む下流からの風の風速を大きくすることができるので、記録ヘッド３４のノズルへの異物の付着をより抑制することができる。
【００９８】
以上、図面を参照しながら本発明の実施形態について説明した。但し、本発明は、上記の実施形態に限られるものではなく、その要旨を逸脱しない範囲で種々の態様において実施することが可能である。
【００９９】
例えば、本発明の実施形態では、板状部材３５の下流側の端の下方に発生する吸引力を大きくするために、下流側貫通孔３２２ｂの数を上流側貫通孔３２２ａの数よりも多くしたが、本発明はこれに限定されない。例えば、板状部材３５の下流側の端の下方に吸引装置３７２を配置してもよい。あるいは、例えば図１５に示すように、板状部材３５の下流側の端の下方の領域に独立した圧力室３７４ｂを設けてもよい。
【０１００】
図１５は、吸引部３７の他の例を示す図である。図１５に示す吸引部３７は、圧力室３７４内に立設する仕切り壁３７６を含む。詳しくは、仕切り壁３７６は、板状部材３５の下流側の端の下方の領域を取り囲む。これにより、圧力室３７４が第１圧力室３７４ａと第２圧力室３７４ｂとに分けられ、板状部材３５の下流側の端の下方に、第１圧力室３７４ａから独立した第２圧力室３７４ｂが形成される。また、第１圧力室３７４ａ内における箱状部材３７１の底壁には、２つの第１開口３７５ａが形成されており、第２圧力室３７４ｂ内における箱状部材３７１の底壁には、１つの第２開口３７５ｂが形成されている。吸引部３７は、２つの第１開口３７５ａのそれぞれに対応して設けられた２つの第１吸引装置３７２ａを備える。更に吸引部３７は、第２開口３７５ｂに対応して設けられた第２吸引装置３７２ｂを備える。つまり、図１５に示す構成によれば、搬送板３２（図５参照）と箱状部材３７１とによって区画される空間を、２つの第１吸引装置３７２ａによる吸引力が作用する第１圧力室３７４ａと、第２吸引装置３７２ｂによる吸引力が作用する第２圧力室３７４ｂとに分けることができる。したがって、第１圧力室３７４ａの負圧状態と第２圧力室の負圧状態とを個別に制御することができる。よって、板状部材３５の下流側の端の下方に発生する吸引力を大きくすることが容易となる。
【０１０１】
また、本発明の実施形態では、板状部材３５がヘッドベース３６に固定されている場合について説明したが、板状部材３５が装置筐体１００内に設けられた他の固定部材に固定されている形態でもよい。例えば、板状部材３５の用紙幅方向の両端を固定部材に固定する形態でもよい。斯かる構成によれば、用紙搬送方向Ｘに対して板状部材３５の下流側及び上流側から狭隙空間３５１内に流入する空気の流れを阻害する部材が存在しないため、狭隙空間３５１における風速を更に増大することができる。したがって、紙粉を更に効果的に除去することができる。
【０１０２】
また、本発明の実施形態では、搬送ベルト３１０が用紙Ｐを搬送する形態について説明したが、その他の方法で用紙Ｐを搬送する形態でもよい。例えば、複数の搬送ローラーによって用紙Ｐを搬送する形態でもよい。この場合には、互いに隣接する搬送ローラーの間から空気の吸引を行うことが好ましい。
【０１０３】
また、本発明の実施形態では、複数の溝３２１が形成された搬送板３２を使用する形態について説明したが、複数の溝３２１が形成されていない搬送板を使用する形態でもよい。この場合、より確実に用紙Ｐを搬送ベルト３１０に吸着させるために、複数の溝３２１が形成された搬送板３２よりも貫通孔３２２の数が多い搬送板を使用することが好ましい。
【０１０４】
また、本発明の実施形態では、狭隙空間３５１が板状部材３５によって形成される形態について説明したが、狭隙空間３５１をその他の方法で形成する形態でもよい。例えば、用紙搬送方向Ｘに対して記録ヘッド３４の上流側において、ヘッドベース３６が搬送ベルト３１０側に突出して形成され、狭隙空間３５１を形成する形態でもよい。この場合には、構造を簡略化することができる。
【０１０５】
あるいは、板状部材３５に替えて、２つのローラーに張架されたベルトによって狭隙空間３５１を形成する形態でもよい。具体的には、空間形成部材として、駆動ローラーと従動ローラーとに張架された無端ベルトを使用し得る。この場合、無端ベルトのうち、搬送ベルト３１０又は搬送板３２に対向する面が、搬送ベルト３１０又は搬送板３２と平行になるように、駆動ローラー及び従動ローラーを配置することが好ましい。斯かる構成によれば、無端ベルトに紙粉が付着した場合であっても、無端ベルトを回転駆動させて、無端ベルトのうち、紙粉が付着していない面を、搬送ベルト３１０又は搬送板３２に対向させることができる。よって、サービスマン等が無端ベルトに付着した紙粉を除去する頻度を減少させることができる。
【０１０６】
また、本発明の実施形態では、ヘッドベース３６に第１孔３６１が形成される場合について説明したが、本発明はこれに限定されない。用紙搬送方向Ｘにおけるヘッドベース３６の長さを短くして、用紙搬送方向Ｘにおけるヘッドベース３６の上流側の端と、吸着ローラー３１６との間の隙間を大きくする形態でもよい。
【０１０７】
また、本発明の実施形態では、搬送板３２と箱状部材３７１とが別部材である場合について説明したが、搬送板３２と箱状部材３７１とが一体に形成されている形態でもよい。この場合には、圧力室３７４からの負圧のリーク、即ち搬送板３２と箱状部材３７１との間の隙間からの圧力室３７４への空気の流入を防止することができる。
【０１０８】
また、本発明の実施形態では、各色に対応してそれぞれ１つの記録ヘッド３４が設けられる場合について説明したが、本発明はこれに限定されない。各色に対応してそれぞれ２つ以上の記録ヘッド３４が設けられてもよい。例えば図１６に示すように、各色に対応してそれぞれ３つの記録ヘッド３４（３４ａ、３４ｂ、３４ｃ、３４ｄ）が設けられてもよい。この場合、用紙幅方向に沿って、３個の記録ヘッド３４（３４ａ、３４ｂ、３４ｃ、３４ｄ）が千鳥状に配列され得る。
【０１０９】
また、本発明の実施形態では、フルカラーで画像を記録可能なインクジェット記録装置に本発明を適用した場合について説明したが、本発明は、モノクロで画像を記録するインクジェット記録装置にも適用可能である。
【０１１０】
なお、本発明の実施形態で説明された各事項は適宜組み合わせることが可能である。
【産業上の利用可能性】
【０１１１】
本発明は、インク滴の吐出によって被記録媒体に画像を記録可能な電子機器に利用可能である。
【符号の説明】
【０１１２】
１          インクジェット記録装置
３          記録部
３１        搬送部
３１０      搬送ベルト
３２        搬送板
３２１      溝
３２２、３２２ａ〜３２２ｃ    貫通孔
３４、３４ａ〜３４ｄ    記録ヘッド
３５        板状部材
３５１      狭隙空間
３７        吸引部
Ｐ          用紙
【図１】
0006311583.tif 000002
【図２】
0006311583.tif 000003
【図３】
0006311583.tif 000004
【図４】
0006311583.tif 000005
【図５】
0006311583.tif 000006
【図６】
0006311583.tif 000007
【図７】
0006311583.tif 000008
【図８】
0006311583.tif 000009
【図９】
0006311583.tif 000010
【図１０】
0006311583.tif 000011
【図１１】
0006311583.tif 000012
【図１２】
0006311583.tif 000013
【図１３】
0006311583.tif 000014
【図１４】
0006311583.tif 000015
【図１５】
0006311583.tif 000016
【図１６】
0006311583.tif 000017